(57)【要約】  本発明の主題は、静止衛星用であって、遠隔通信機器の通過帯域をそのペイロードに関して劣化させることなく、従来型の受信機より軽量かつ低廉である、周波数変調および位相変調の遠隔制御受信機であって、この遠隔制御受信機は、ヘテロダイン増幅器アナログ入力およびフィルタ回路（２８）と、これに続くデジタル処理回路（４９）とを備え、デジタル処理回路（４９）が、ＦＭ復調装置として、またはＰＭ復調装置として構成可能であり、上記アナログ入力回路が両復調モードに共通であることを特徴とする。
2011507374.tif 000002
【特許請求の範囲】
【請求項１】
静止衛星用の周波数変調および位相変調の遠隔制御受信機であって、ヘテロダイン増幅器アナログ入力およびフィルタ回路（２８）と、これに続くデジタル処理回路（２９、４９）とを備え、前記デジタル処理回路（２９、４９）は、ＦＭ復調装置として、またはＰＭ復調装置として構成可能であり、前記アナログ入力回路（２８）は両復調モードに共通であることを特徴とする遠隔制御受信機。
【請求項２】
前記デジタル処理回路は、ＰＭ復調ループ構成かＦＭ復調ループ構成かに応じて切り換え可能な機能（４０、４２）を有するラッチループ（３６〜３８）を備え、フィルタ（４１）のカットオフ周波数が、ＦＭ帯域制限またはＰＭ帯域制限に対応する２つの値の間でトグルされるように、遠隔制御信号（４５）によって制御されるフィルタ（４１）とを備えることを特徴とする、請求項１に記載の遠隔制御受信機。
【請求項３】
前記切り換え可能な機能は、微分器（４０）および積分器（４２）であることを特徴とする、請求項２に記載の遠隔制御受信機。
【請求項４】
前記デジタル処理回路は、ＦＭ復調および帯域制限装置（５０）と、ＰＭ復調および帯域制限装置（５１）と、前記遠隔制御信号によって制御されて前記ＦＭ復調および帯域制限装置（５０）と前記ＰＭ復調および帯域制限装置（５１）とのうちの一方を活性化するスイッチ（５２）とを備えることを特徴とする、請求項２に記載の遠隔制御受信機。
【請求項５】
前記アナログ入力回路は、ヘテロダイン回路（３２、３３）およびバンドパスフィルタ（３５）を備えることを特徴とする、請求項１〜４のいずれか一項に記載の遠隔制御受信機。
【発明の詳細な説明】
【技術分野】
【０００１】
本発明は、静止衛星用の周波数変調（ＦＭ）および位相変調（ＰＭ）の遠隔制御受信器に関する。
【背景技術】
【０００２】
静止衛星を定位置（すなわち、その運用高度）に置くためには、（スプリアスドップラー効果のために）広い周波数スイングで送られてくる信号を捕捉する能力が、遠隔制御受信機に必要である。この捕捉能力は、定位置を維持する場合には弱点となり、このことは特に、衛星ペイロード要件に応じて割り当てられている帯域を不利にすることなく複数の遠隔制御受信帯を並置するために、可能な限り帯域が狭くなければならない複数の衛星を同じ場所に配置するケースにおいて顕著である。
【０００３】
一般に行われている方法は、定位置に置くことと定位置を維持することとに単一のサブシステムを用いるものであるが、これは、ペイロードの遠隔通信ミッションに割り当てられている帯域を不利にする。したがって、同じ場所に配置するケースには用いることができない可能性がある。
【０００４】
こうした弱点に対処する既知の方法は、２つの別々の遠隔制御サブシステム（１つは定位置に置くためのものであり、もう１つは定位置を維持するためのもの）への重複化である。この方法は、重量およびコストの点で不利である。
【発明の概要】
【発明が解決しようとする課題】
【０００５】
本発明の主題は、静止衛星用であって、遠隔通信機器の通過帯域をそのペイロードに関して劣化させることなく、可能な限り軽量かつ低廉である、周波数変調および位相変調の遠隔制御受信機である。
【課題を解決するための手段】
【０００６】
本発明による受信機は、ヘテロダイン増幅器アナログ入力およびフィルタ回路と、これに続くデジタル処理回路とを備え、このデジタル処理回路が、ＦＭ復調装置として、またはＰＭ復調装置として構成可能な装置を備え、上記アナログ入力回路が両復調モードに共通であることを特徴とする。
【０００７】
したがって、本発明は、定位置に置くことと定位置を維持することとを最適性能で実現できるようにする諸機能性を、同一の遠隔制御受信機にまとめることにある。
【０００８】
本発明は、限定ではない例として取り上げられ、添付図面によって図示された実施形態の詳細説明を読むことにより、よりよく理解されるであろう。
【図面の簡単な説明】
【０００９】
【図１】本発明による遠隔制御受信機のブロック図であって、左側部分には先行技術のＰＭ受信機およびＦＭ受信機を示し、右側部分には本発明による受信機を示した図である。
【図２】本発明の遠隔制御受信機の変形形態のブロック図である。
【発明を実施するための形態】
【００１０】
図１の左側部分の上部は、衛星用の標準的な構成を有する、ＦＭモードの遠隔制御受信機１を示しており、この左側部分の下部は、同じ衛星用の標準的な構成を有する、ＰＭモードの遠隔制御受信機２を示している。
【００１１】
受信機１の主たる構成として、入力増幅回路３が、周波数ラッチループに含まれている位相比較器４の第１の入力と連結されており、周波数ラッチループは、比較器４の出力と連結された増幅器５と、ＦＭ帯域制限バンドパスフィルタ６と、局部発振器８とさらに連結された混合器７と、ＦＭ回路９と、増幅器１０とを順に含んでおり、増幅器１０の出力は、発振器１１の電圧制御入力と連結されており、発振器１１の出力は、比較器４の第２の入力と連結されている。回路９は、位相検出器１２、微分器１３、ローパスフィルタ１４、および積分器１５を含んでいる。
【００１２】
受信機２の主たる構成として、入力増幅回路１６が、位相ラッチループに含まれている位相比較器１７の第１の入力と連結されており、位相ラッチループは、比較器１７の出力と連結された増幅器１８と、ＰＭ帯域制限バンドパスフィルタ１９と、局部発振器２１とさらに連結された混合器２０と、ＰＭ回路２２と、増幅器２３とを順に含んでおり、増幅器２３の出力は、発振器２４の電圧制御入力と連結されており、発振器２４の出力は、比較器１４の第２の入力と連結されている。回路２２は、位相検出器２５およびローパスフィルタ２６を含んでいる。
【００１３】
図１の右側部分は、本発明による遠隔制御受信機２７を図式的に示している。この受信機は、主としてブロック２８およびブロック２９からなり、ブロック２８は、ヘテロダイン増幅器およびフィルタ回路を構成するアナログ入力回路であり、ブロック２９は、構成制御信号３０の制御下でＰＭモードにもＦＭモードにも構成可能な回路であり、構成制御信号３０自体は、衛星指令局から送信される、しかるべき遠隔制御信号が基になっている。
【００１４】
アナログ入力回路のブロック２８は、その入力側から順に、増幅回路３１と、局部発振器３３と連結された混合器３２と、増幅器３４と、バンドパスフィルタ３５とを含んでいる。
【００１５】
デジタル回路のブロック２９は、主として、信号３０の制御下で位相ループまたは周波数ループとして構成可能なループからなる。この構成可能ループは、位相比較器３６と、これに続く帯域復調および帯域制限回路３７と、これに続く局部発振器３８とからなり、局部発振器３８は、回路３７の出力信号によって制御され、局部発振器３８の出力は比較器３６と連結されている。回路３７は、この例では、位相検出器３９、微分器４０、被制御ローパスフィルタ４１、および積分器４２を縦続接続したものを含んでいる。信号４４によって制御されるスイッチ４３が、微分器４０と並列に配線されている。フィルタ４１は、フィルタ４１のカットオフ周波数が、ＦＭ帯域制限およびＰＭ帯域制限に対応する２つの値の間でトグルされるように、信号４５によって制御される。信号４７によって制御されるスイッチ４６が、積分器４２と並列に配線されている。これら３つの信号４４、４５、および４７は、遠隔制御信号３０に含まれており、遠隔制御信号３０自体は、衛星が受信する総合遠隔制御信号の中に多重化されており、総合遠隔制御信号の他の成分は従来型の遠隔制御信号である。ブロック２９は、デジタル処理集積回路の形で有利に具体化される。
【００１６】
したがって、スイッチ４３および４６が開いていて、フィルタ４５のカットオフ周波数が、ＦＭ制限に対応する値に設定されている場合、（ブロック２８および２９からなる）本発明の受信機２７は、ＦＭモード、すなわち、定位置に置くことと、広い周波数の捕捉を実現することとに用いる変調規格に対応したＦＭ復調の動作を行う従来型の受信機１と同様に動作する。
【００１７】
スイッチ４３および４６が閉じていて、フィルタ４５のカットオフ周波数が、ＰＭ制限に対応する値に設定されている場合、受信機２７は、ＰＭモード、すなわち、定位置を維持し、隣接信号を確実に阻止する要件を満たすＰＭ復調の動作を行う従来型の受信機２と同様に動作する。
【００１８】
本発明の受信機の変形実施形態を、図２に図式的に示す。この受信機は、図１と同一のアナログ回路２８と、これに続くデジタル処理回路４９とを含んでおり、回路４９の入力はフィルタ３５の出力と連結されている。回路４９は、ＦＭモード用の復調および帯域制限回路５０と、ＰＭモード用の復調および帯域制限回路５１と、回路５０または回路５１のいずれかを選択できる被制御スイッチ５２と、を含んでいる。図に示した例では、スイッチ５２は、回路５０および５１の下流にあるが、これらの回路の上流に配置することも可能であり、上流に配置した場合には、「ＯＲ」回路が、これら２つの回路の出力を回路４９の出力に連結する。このスイッチは、遠隔制御信号５３によって制御され、信号５３は、信号３０と同様に、衛星が受信する総合遠隔制御信号の中に多重化されている。このスイッチは、２つの復調および帯域制限装置（５０または５１）のうちの一方を活性化する。回路５０および５１の復調機能および帯域制限機能は、ブロック２９において各スイッチを開閉して得られる機能と同じである。
【００１９】
本発明の受信機のモジュール構成において、アナログチェーンは、ＰＭおよびＦＭの両モードに共通であり、この点が、ＰＭまたはＦＭの専用アナログフィルタによって選択的フィルタリングが実現される従来型の構成の遠隔制御受信機と異なる。さらに、局部発振器（ＯＬ）の帰還ループは、モードごとに異なる特性を有する。それゆえ、先行技術においては、これら２つのモードを同一アイテムの機器にまとめることは考えられない。本発明の構成では、選択的フィルタリングは、デジタル復調器によって実現されている。
【００２０】
（図の左側部分に示したような）従来型のデュアルＰＭ／ＦＭ受信機と比較して、本発明の受信機は、遠隔制御サブシステムのコストおよび重量が約半分になるという利点がある。本発明の好ましい実施態様として、定位置に置くフェーズではＦＭにトグルし、定位置を維持している間はＰＭにトグルすることを説明した。しかしながら、特殊なケース（たとえば、スタンバイモード）では、定位置を維持している間にＦＭモードにトグルすることもありうる。
【図１】
2011507374.tif 000003
【図２】
2011507374.tif 000004
【国際調査報告】
2011507374.tif 000005
2011507374.tif 000006
2011507374.tif 000007
2011507374.tif 000008
2011507374.tif 000009
2011507374.tif 000010